Podtech/llm-jp-corpus-v4-ja_patent huggingface dataset:
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
次の工程：
（ｉ）下記液体原料混合物を、その原料混合物の少なくとも１つの成分を配位結合し得るルイス酸化合物と、原料混合物のジアステレオアイソマー成分の全量を配位結合するのに十分でない量を使用して、接触させ、
（ii）得られる混合物を、液体原料混合物に存在していたジアステレオアイソマー成分のモル比と異なるジアステレオアイソマー成分のモル比を有する反応生成物が、その液体混合物から分離されるような条件に付す
ことからなる式（Ｉ）：
【化１】
2005513150.tif 000001
［式中、ジアステレオアイソマーは少なくとも２つの不斉炭素原子を有し、ｎは０〜２の整数であり、Ｒ1、Ｒ2、Ｒ3とＲ4は互いに同一または異なり、Ｈまたは、任意にヘテロ原子を含有するＣ1〜Ｃ20炭化水素基であり、Ｇは−ＣＯＯＲ’、−ＯＲ’、−Ｃ＝ＯＲ’、−ＮＲ2’または−ＰＲ2’（Ｒ’はＲ1〜Ｒ4と同一意味を有する）である］
のジアステレオアイソマーの液体原料混合物の成分の相対比を変更する方法。
【請求項２】
ルイス酸化合物が、式ＭＸ2［式中、Ｍは元素の周期律表１〜１６族（新表示）に属する金属または遷移金属であり、Ｚは元素Ｍの原子価を示し、Ｘはハロゲンである］を有する請求項１による方法。
【請求項３】
ＭがＭｇ、Ｃａ、Ｚｒ、Ｆｅ、ＮｉまたはＴｉであり、Ｘが塩素である請求項２による方法。
【請求項４】
式（Ｉ）のジアステレオアイソマーが、Ｇ基を結合した不斉炭素原子を有する請求項１による方法。
【請求項５】
Ｇが−ＣＯＯＲ’または−ＯＲ’基であり、ｎが０または１であり、Ｒ1が水素、Ｒ2がＣ1〜Ｃ6アルキル基、Ｒ3が水素、Ｒ4が水素またはメチル基、Ｒ’がＣ1〜Ｃ4アルキル基である請求項４による方法。
【請求項６】
式（Ｉ）のジアステレオアイソマーの液体原料混合物が、ラセミとメソ配位のジアステレオアイソマーで、変動するモル比のものである請求項１による方法。
【請求項７】
液体原料混合物が、ジエチル-2,3-ジ-i-プロピルスクシネート、ジ-i-ブチル-2,3-ジ-i-プロピルスクシネート、ジエチル-2,3-ジ-シクロヘキシルスクシネート、ジエチル-2,3-ジ-t-ブチルスクシネート、ジエチル-2,3-ジ-sec-ブチルスクシネート、ジメチル-2,4-ジメチルグルタレートと2,3-ジ-i-プロピル-1,4-ジメトキシブタンから選択された化合物のジアステレオアイソマー混合物からなる請求項６による方法。
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
以下：
【化１】
2005513103.tif 000001
の式の化合物ならびに薬学的に受容可能な塩および溶媒和物であって、
ここで、Ａ、ＢおよびＤは、独立してＮまたはＣのいずれかから選択され、但し、Ａ、ＢまたはＤの少なくとも１つが、Ｎであり、；
ＥがＣまたはＮであり；
ＲがＨまたはＣ１〜４アルキルであり；
Ｒ２およびＲ３は、独立してＨ、Ｃ１〜３アルキル、Ｃ２〜３アルケニルであるか、またはＲ２およびＲ３は、一緒になって五員環または六員環を形成し得；
Ｘは、水素、ハロゲン、Ｃ１〜４アルキルまたはＣＦ３であり；そして
破線の結合は、単結合または二重結合であり得る、
化合物。
【請求項２】
前記化合物が、２−（８−ブロモ−ベンゾ−［１，２−ｂ；４，５−ｂ’］ジフラン−４−イル）イミダゾリンヒドロクロリドである、請求項１に記載の化合物。
【請求項３】
正常なまたは増大した眼内圧を低下し、そして制御し、そして目の神経保護を提供するための組成物であって、該組成物は、以下：
【化２】
2005513103.tif 000002
の式の化合物ならびに薬学的に受容可能な塩および溶媒和物を含み、
ここで、Ａ、ＢおよびＤは、独立してＮまたはＣのいずれかから選択され、但し、Ａ、ＢまたはＤの少なくとも１つが、Ｎであり、；
ＥがＣまたはＮであり；
ＲがＨまたはＣ１〜４アルキルであり；
Ｒ２およびＲ３は、独立してＨ、Ｃ１〜３アルキル、Ｃ２〜３アルケニルであるか、またはＲ２およびＲ３は、一緒になって五員環または六員環を形成し得；
Ｘは、水素、ハロゲン、Ｃ１〜４アルキルまたはＣＦ３であり；そして
破線の結合は、単結合または二重結合であり得る、
組成物。
【請求項４】
前記化合物が、２−（８−ブロモ−ベンゾ−［１，２−ｂ；４，５−ｂ’］ジフラン−４−イル）イミダゾリンヒドロクロリドである、請求項３に記載の組成物。
【請求項５】
眼科的に受容可能な防腐剤をさらに含む、請求項４に記載の組成物。
【請求項６】
眼科的に受容可能な界面活性剤をさらに含む、請求項４に記載の組成物。
【請求項７】
粘性を増加するための薬剤をさらに含む、請求項４に記載の組成物。
【請求項８】
前記薬剤が、ヒドロキシメチルセルロース、ヒドロキシエチルセルロース、ヒドロキシプロピルメチルセルロース、メチルセルロースおよびポリビニルピロリドンからなる群から選択される、請求項７に記載の組成物。
【請求項９】
眼科的に受容可能な防腐剤、眼科的に受容可能な界面活性剤および粘度を増加させるための少なくとも１種の薬剤をさらに含む、請求項４に記載の組成物。
【請求項１０】
約５〜約８のｐＨを有する局所眼用懸濁液または溶液としてさらに規定される、請求項４に記載の組成物。
【請求項１１】
前記化合物の濃度が、０．０１重量％〜５重量％である、請求項１０に記載の組成物。
【請求項１２】
前記化合物の濃度が、０．２５重量％〜２重量％である、請求項１１に記載の組成物。
【請求項１３】
β−遮断薬、プロスタグランジン、カルボニックアンヒドラーゼ阻害剤、および縮瞳薬からなる群から選択される少なくとも１つの薬剤をさらに含む、請求項４に記載の組成物。
【請求項１４】
カルシウムチャネル遮断薬およびＮＭＤＡアンタゴニストからなる群から選択される少なくとも１つの薬剤をさらに含む、請求項４に記載の組成物。
【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
急性または慢性疼痛の処置用製薬学的組成物の製造のための、一般式Ｉ：
【化１】
2005513101.tif 000001
［式中、
Ｒは水素またはＣ1−Ｃ4アルキル基であり；
Ｒ1は水素、Ｃ1−Ｃ10アルキル、Ｃ1−Ｃ4ヒドロキシアルキル、またはアセチルオキシＣ1−Ｃ4アルキル、プロパノイロキシＣ1−Ｃ4アルキル、２−メチルプロパノイロキシＣ1−Ｃ4アルキルおよびベンゾイロキシＣ1−Ｃ4アルキルからなる群より選ばれる
アシル化されたＣ1−Ｃ4アルキルであり；
Ｒ2は水素；Ｃ1−Ｃ10アルキル；フェニル；フェニルＣ1−Ｃ10アルキルである］
によって表される化合物またはその塩の使用。
【請求項２】
ＲがＨであり、Ｒ1がＨまたはＣ1−Ｃ10アルキルであり、Ｒ2がＨまたはＣ1−Ｃ10アルキルである、請求項１に記載の化合物の使用。
【請求項３】
Ｒ、Ｒ1およびＲ2が水素である、請求項１または２に記載の化合物の使用。
【請求項４】
慢性疼痛が炎症性疼痛または神経障害性疼痛である請求項１〜３のいずれか一項に記載の使用。
【請求項５】
慢性疼痛が関節炎、がん、偏頭痛、頭痛および線維筋痛から選ばれる疾患により起こる請求項１〜３のいずれか一項に記載の使用。
【請求項６】
神経障害性疼痛が慢性の低背部疼痛を有する患者に存在する疼痛、または疱疹後神経痛、三叉神経の神経痛、糖尿病性神経障害もしくはヒト免疫不全ウイルスによる神経破壊、に関連する疼痛である請求項４に記載の使用。
【手続補正２】
【補正対象書類名】明細書
【補正対象項目名】００３８
【補正方法】変更
【補正の内容】
【００３８】
ＣＨＦ３３８１の抗侵害受容性効果の調査
ラットにおけるストレプトゾトシン−誘導糖尿病性神経病
この研究の目的はラットにおけるストレプトゾトシン（ｓｔｒｅｐｔｏｚｏｔｏｃｉｎ）（ＳＴＺ）−誘導糖尿病性神経障害での機械的痛覚過敏に及ぼすＣＨＦ３３８１（２５、５０および１００ｍｇ／ｋｇ  ｐ．ｏ．）およびガバペンチン（ｇａｂａｐｅｎｔｉｎ）（１００ｍｇ／ｋｇ  ｐ．ｏ．）の抗侵害受容性効果を調査することであった。糖尿病はＳＴＺ（７５ｍｇ／ｋｇ）の腹腔内注射によって誘導し、そして２３日後に、その存在を尾静脈血のグルコースレベルの測定によって確認し、そしてその最終グルコースレベル４００ｍｇ／ｄｌを有するラットのみを研究に含めた。
【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
ドライアイの処置のための、またはアレルギーに関連する眼の炎症の処置のための薬学的組成物の製造のための、少なくとも１つの薬理学的に適合性の粘性調節因子、および少なくとも１つのヘパリン活性を有するムコ多糖、ならびに必要に応じてさらなる薬学的な助剤の使用であって、ここで薬学的組成物が、ヒアルロン酸、ヒアルロン酸塩、コンドロイチン硫酸、ポリビニルピロリドン、ポリビニルアルコール、ポリアクリルアミド、ポリアクリル樹脂、ポリエチレングルコール、セルロース誘導体、すなわちヒドロキシエチルセルロース、ヒドロキシプロピルメチルセルロース、および／またはカルボキシメチルセルロース、およびそれらの混合物からなる群より選択される、少なくとも１つの薬理学的に適合性の粘性調節因子、ならびにヘパリノイド類、ヒトヘパリン、動物ヘパリン、組換えヘパリン、化学的に修飾されたヘパリン、酵素的に修飾されたヘパリン、短縮化ヘパリン、低分子量ヘパリン、ヘパラン硫酸、およびそれらの混合物からなる群より選択される、少なくとも１つのヘパリン活性を有するムコ多糖、ならびに必要に応じてさらなる薬学的な助剤からなる、使用。
【請求項２】
請求項１に記載の使用であって、各場合において薬学的組成物の総重量に対して、ヒアルロン酸の量および／またはヒアルロン酸塩の量が０．００５重量％〜５重量％、好ましくは０．０１重量％〜１重量％であることを特徴とする、使用。
【請求項３】
請求項１または請求項２に記載の使用であって、ヒアルロン酸および／またはヒアルロン酸塩が、５０，０００〜１０，０００，０００ダルトン、好ましくは２５０，０００〜５，０００，０００ダルトンの範囲にある分子量を有することを特徴とする、使用。
【請求項４】
請求項１〜３のいずれかに記載の使用であって、ヒアルロン酸塩がヒアルロン酸ナトリウムであることを特徴とする、使用。
【請求項５】
請求項１〜４のいずれかに記載の使用であって、ムコ多糖のヘパリン活性が、５００Ｉ．Ｕ．／ｍｌ〜１００，０００Ｉ．Ｕ．／ｍｌ、好ましくは１，０００Ｉ．Ｕ．／ｍｌ〜５０，０００Ｉ．Ｕ．／ｍｌの範囲にあることを特徴とする、使用。
【請求項６】
請求項１〜５のいずれかに記載の使用であって、薬学的組成物が、溶液、懸濁液、乳濁液、ゲル、軟膏、ペースト、粉末、粒子、顆粒、または錠剤の形態にあることを特徴とする、使用。
【請求項７】
請求項１〜６のいずれかに記載の使用であって、ドライアイまたはアレルギーに関連する眼の炎症が、乾燥症候群、アレルギー性鼻結膜炎、アトピー性角結膜炎、アレルギー性角結膜炎、巨大乳頭結膜炎、春季カタル、上強膜炎、強膜炎、テノン嚢炎、シェーグレン症候群、およびそれらの複合型の形態からなる群より選択される眼科学的な機能障害に起因することを特徴とする、使用。
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
少なくとも１種の希土類金属及び式（Ｉ）
【化１】
2005513134.tif 000001
（式中、Ｌ１、Ｌ２、Ｌ３、Ｌ４及びＬ５は、それぞれ独立に、置換基又はＨを表す）
の２−ヒドロキシキノリン−４−カルボン酸の希土類金属化合物並びにこれらの化合物の混合物。
【請求項２】
一般式（ＩＩ）
【化２】
2005513134.tif 000002
（式中、
Ａ及びＢは、ユーロピウム、テルビウム、ガドリニウム、サマリウム、イットリウム、ネオジウム、ランタニウム及びセリウムからなる群より選択される異なる希土類金属であり、
Ｃは、カルシウム、ストロンチウム及びバリウムからなる群より選択されるアルカリ土類金属であり、
Ｌ１、Ｌ２、Ｌ３、Ｌ４及びＬ５は、互いに独立に、置換基又はＨであり、
ｘ＋ｙは、０よりも大きな数であり、且つ１又は１よりも小さな数であり、Ｎはｘ＋ｙ＋２に等しい）
に対応する請求項１に記載の希土類金属化合物及びこれらの混合物。
【請求項３】
Ｌ１、Ｌ２、Ｌ３、Ｌ４及びＬ５は、互いに独立に、H、ハロゲン、C1〜C6−アルコキシ、C1〜C6−アルキル、C6〜C１２−アリール、ＯＨ、ＣＮ、Ｃ１〜Ｃ６アルキルアミノ、ＣＯ−Ｃ１〜Ｃ６−アルキル又はＣＯ−ＮＨ２を表す、請求項２に記載の希土類金属化合物及びこれらの混合物。
【請求項４】
場合によってはアルカリ土類金属塩の存在下で、少なくとも１種の希土類金属塩を式（Ｉ）の２−ヒドロキシキノリン−４−カルボン酸と反応させる、請求項１〜３の何れか１項に記載の希土類金属化合物及びこれらの混合物の調製方法。
【請求項５】
希土類金属塩は、希土類金属ハライドである、請求項４に記載の調製方法。
【請求項６】
２−ヒドロキシキノリン−４−カルボン酸（Ｉ）は、最初に、アルカリ置換基との反応により、２−ヒドロキシキノリン−４−カルボキシレートに変換される、請求項４又は５に記載の調製方法。
【請求項７】
アルカリ置換基として、水酸化カリウム又は水酸化ナトリウム、エタノールアミン又はアルキルアミンが用いられる、請求項６に記載の調製方法。
【手続補正２】
【補正対象書類名】明細書
【補正対象項目名】００２７
【補正方法】変更
【補正の内容】
【００２７】
最後に、本発明は、さらに本発明による希土類金属化合物及びこれらの混合物を含むマーキングされた物品に関する。
したがって、本発明は、以下の態様を含む。
（１）少なくとも１種の希土類金属及び式（Ｉ）
【化３】
2005513134.tif 000003
（式中、Ｌ１、Ｌ２、Ｌ３、Ｌ４及びＬ５は、それぞれ独立に、置換基又はＨを表す）
の２−ヒドロキシキノリン−４−カルボン酸の希土類金属化合物並びにこれらの化合物の混合物。
（２）少なくとも２種の異なる希土類金属を含む、（１）に記載の希土類金属化合物及びこれらの混合物。
（３）一般式（ＩＩ）
【化４】
2005513134.tif 000004
（式中、
Ａ及びＢは、ユーロピウム、テルビウム、ガドリニウム、サマリウム、イットリウム、ネオジウム、ランタニウム及びセリウムからなる群より選択される異なる希土類金属であり、
Ｃは、カルシウム、ストロンチウム及びバリウムからなる群より選択されるアルカリ土類金属であり、
Ｌ１、Ｌ２、Ｌ３、Ｌ４及びＬ５は、互いに独立に、置換基又はＨであり、
ｘ＋ｙは、０よりも大きな数であり、且つ１又は１よりも小さな数であり、Ｎはｘ＋ｙ＋２に等しい）
に対応する（１）又は（２）に記載の希土類金属化合物及びこれらの混合物。
（４）ｘは０よりも大きく、ｙは０よりも大きい、（３）に記載の希土類金属化合物及びこれらの混合物。
（５）Ａ及びＢは、互いに独立に、ユーロピウム、テルビウム、ガドリニウム及びネオジウムからなる群より選択される希土類金属を表す、（３）又は（４）に記載の希土類金属化合物及びこれらの混合物。
（６）Ａ又はＢは、ユーロピウム又はテルビウムを表す、（３）〜（５）の何れか１項に記載の希土類金属化合物及びこれらの混合物。
（７）Ｌ１、Ｌ２、Ｌ３、Ｌ４及びＬ５は、互いに独立に、H、ハロゲン、C1〜C6−アルコキシ、C1〜C6−アルキル、C6〜C１２−アリール、ＯＨ、ＣＮ、Ｃ１〜Ｃ６アルキルアミノ、ＣＯ−Ｃ１〜Ｃ６−アルキル又はＣＯ−ＮＨ２を表す、（３）〜（６）の何れか１項に記載の希土類金属化合物及びこれらの混合物。
（８）場合によってはアルカリ土類金属塩の存在下で、少なくとも１種の希土類金属塩を式（Ｉ）の２−ヒドロキシキノリン−４−カルボン酸と反応させる、（１）〜（７）の何れか１項に記載の希土類金属化合物及びこれらの混合物の調製方法。
（９）希土類金属塩は、希土類金属ハライドである、（８）に記載の調製方法。
（１０）２−ヒドロキシキノリン−４−カルボン酸（Ｉ）は、最初に、アルカリ置換基との反応により、２−ヒドロキシキノリン−４−カルボキシレートに変換される、（８）又は（９）に記載の調製方法。
（１１）アルカリ置換基として、水酸化カリウム又は水酸化ナトリウム、エタノールアミン又はアルキルアミンが用いられる、（１０）に記載の調製方法。
（１２）物品に（１）〜（７）の何れか１項に記載の希土類金属化合物及びこれらの混合物を提供することにより、物品のマーキングを行う（１）〜（７）の何れか１項に記載の希土類金属化合物及びこれらの混合物の使用。
（１３）物品は、データキャリア又は文書である、（１２）に記載の使用。
（１４）データキャリアとして、チップカード、チェックカード又はクレジットカードが用いられる、（１３）に記載の使用。
（１５）文書として、識別カード（ＩＤ）、銀行通帳及び証明書が用いられる、（１３）に記載の使用。
（１６）希土類金属化合物及びこれらの混合物は、バインダを一緒に含む組成物の形態で用いられる、（１２）〜（１５）の何れか１項に記載の使用。
（１７）バインダとして、アクリルポリマー類、ポリアミド類、ポリウレタン類、ポリエステル類及びポリエチレンテレフタレート類が用いられる、（１６）に記載の使用。
（１８）上記（１）〜（７）の何れか１項に記載の希土類金属化合物及びこれらの混合物を含むマーキングされた物品。
以下、実施例を用いて本発明を更に詳細に説明する。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
宿主に有益な物質を、宿主の消化管の所定の位置で溶解し（lysing）放出することができる乳酸菌の、該乳酸菌を消化する個体の健康を支援し、かつ／又は疾病を治療及び／若しくは予防するための組成物の製造における使用。
【請求項２】
前記乳酸菌を、高温、低温、様々なｐＨ値、ファージに曝露すること、タンパク質、炭水化物、脂質若しくは任意の他の有機及び無機物質によってカプセル被包すること、特定の発酵条件に供すること、或いは細菌性ＳＯＳ応答を作動させること、又は調節レベル若しくは遺伝子発現レベルで損傷した細胞内タンパク質を修復する内因性保護的ストレス応答系を不活性化させることによって、前処理する、請求項１に記載の使用。
【請求項３】
前記乳酸菌が、乳酸桿菌（Ｌａｃｔｏｂａｃｉｌｌｕｓ）、ビフィズス菌（Ｂｉｆｉｄｏｂａｃｔｅｒｉｕｍ）、連鎖球菌（Ｓｔｒｅｐｔｏｃｏｃｃｉ）、ペジオコッカス（Ｐｅｄｉｏｃｏｃｃｕｓ）、腸球菌（Ｅｎｔｅｒｏｃｏｃｃｕｓ）、ラクトコッカス（Ｌａｃｔｏｃｏｃｃｕｓ）、バクテロイド、及びそれらの混合物からなる群から選択される、前記請求項のいずれかに記載の使用。
【請求項４】
前記乳酸菌がプロバイオティックである、前記請求項のいずれかに記載の使用。
【請求項５】
前記乳酸菌が、前記宿主に有益な少なくとも１種の物質を産生する１つ又は複数の遺伝子を保有している改変した乳酸菌である、前記請求項のいずれかに記載の使用。
【請求項６】
前記宿主に有益な少なくとも１種の物質を産生する前記１つ又は複数の遺伝子が、その発現がより多くなるよう改変されている、或いは前記１つ又は複数の遺伝子が外来源から前記乳酸菌中に導入されている、請求項５に記載の使用。
【請求項７】
前記乳酸菌が、胃、十二指腸、空腸、回腸又は大腸で溶解する、前記請求項のいずれかに記載の使用。
【請求項８】
前記送達する物質が、ペプチド、ペプトン、タンパク質、単糖、二糖、複合糖質及び脂質からなる群から選択される、前記請求項のいずれかに記載の使用。
【請求項９】
宿主に有益な物質を含む乳酸菌を用意し、
任意選択で、目的の該物質を消化管の選択された部分に送達することを確保するのに適切な方法で、該乳酸菌を前処理し、
該微生物を適切な担体中に含有させる
ことを含む、摂食可能な製品を調製する方法。
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
輝度値、ｘピクセル座標、およびｙピクセル座標を有するピクセル座標対を受け取るステップと、
ｘピクセル重みおよびｙピクセル重みの積を含むピクセル重みを識別するステップと、
前記積および前記輝度値を使用して前記ピクセル座標対を１つまたは複数のターゲットピクセル座標対へとワープさせるステップと
を含む、ピクセルをワープさせる方法。
【請求項２】
前記ピクセル重みを特定する際にワーピングファンクションを使用するステップをさらに含む、請求項１に記載の方法。
【請求項３】
残りのピクセル座標対が、残りのターゲットピクセル座標対へとワープされるまで各ステップをさらに連続して反復する、請求項１に記載の方法。
【請求項４】
前記積を使用して前記ピクセル座標対をワープさせる際に、１つまたは複数の前記ターゲットピクセル座標対が、ターゲットピクセル格子を表す、請求項１に記載の方法。
【請求項５】
前記積を使用して前記ピクセル座標対をワープさせる際に、１つまたは複数の前記ターゲットピクセル座標対が、伸張されたピクセル座標対を表す、請求項１に記載の方法。
【請求項６】
前記積を使用して前記ピクセル座標対をワープさせる際に、１つまたは複数の前記ターゲットピクセル座標対が、圧縮されたピクセル座標対、変換されたピクセル座標対、および回転されたピクセル座標対のうちの少なくとも１つを表す、請求項１に記載の方法。
【請求項７】
前記ピクセル重みを識別する際に、前記ピクセル重みは、固定小数点数または浮動小数点数として表される、請求項１に記載の方法。
【請求項８】
ソース画像に関連する複数の入力ピクセルを獲得するステップと、
前記各入力ピクセルを１組のワーピング実行可能命令に渡し、前記渡された各入力ピクセルについて個別のスケールを受け取るステップと、
前記個別のスケールに基づいて前記各入力ピクセルを重み付けするステップと、
前記個別のスケールを使用して前記各入力ピクセルを出力格子にマッピングするステップと
を含む、画像をワープさせる方法。
【請求項９】
前記マッピングするステップから宛先画像を生成するステップをさらに含む、請求項８に記載の方法。
【請求項１０】
個別の輝度値を前記各入力ピクセルに関連づけるステップをさらに含む、請求項８に記載の方法。
【請求項１１】
ワープされたピクセルを獲得するステップと、
ソースピクセルを獲得するステップと、
１つの２次元ピクセル重みを前記ワープされたピクセルおよび前記ソースピクセルから生成し、それによって前記１つの２次元ピクセル重みを使用して第２のソースピクセルを第２のワープされたピクセルに変換できるようにするステップと
を含む、２次元ピクセル重みを生成する方法。
【請求項１２】
１組の単一パス実行可能命令から生成される１つまたは複数のピクセル格子を含み、各ピクセル格子が１つまたは複数のソースピクセルから生成され、各ソースピクセルが、各ピクセル格子中で表されるとき各ソースピクセルの２次元ワーピングスケールを表す重みに関連づけられる、コンピュータ読取り可能媒体中に存在するワープされた画像。
【請求項１３】
前記１組の単一パス実行可能命令が、前記重み中で使用される各次元のワーピングスケールを生成する助けとなるように動作可能なワーピングファンクションに対する呼び出しを含む、請求項１２に記載のワープされた画像。
【請求項１４】
各入力ピクセルは、輝度値を有しソース画像に関連する複数の入力ピクセルと、
前記入力ピクセルを処理してスケーリングデータを生成するように動作可能な１組のワーピング実行可能命令と、
前記入力ピクセルのワープされたバージョンを表し、前記スケーリングデータを使用して各入力ピクセルについて各入力ピクセルの輝度値と組み合わされると各宛先格子を形成する１つの２次元重みを生成する助けをすることによって生成される複数の宛先格子と
を含む、ソース画像をワープさせるシステム。
【請求項１５】
前記複数の宛先格子は、前記ソース画像のワープされたバージョンを表す１つの宛先画像を形成する、請求項１４に記載のシステム。
【請求項１６】
計算機装置と、
ディスプレイ装置と、
メモリと、
各入力ピクセルが、輝度値を含みソース画像に関連する複数の入力ピクセルを有する、メモリ内に存在するソース画像と、
前記計算機装置内の１つまたは複数の処理要素上で実行されて入力ピクセルを処理し、スケーリングデータを生成するように動作可能な１組のワーピング実行可能命令と、
ディスプレイ装置上に表示され、入力ピクセルのワープされたバージョンを表し、前記スケーリングデータを使用して各入力ピクセルについて各入力ピクセルの輝度値と組み合わされると各宛先格子を形成する１つの２次元の重みを生成する助けをすることによって生成される複数の宛先格子と
を含む、画像をワープさせるシステム。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
ユーザから入力を受け取るためのユーザインタフェースと、
前記ユーザの入力の制御のもとでマルチメディア・タイトルを生成するためのタイトル生成手段と、
所定のレンダリング・プラットフォームについて、前記レンダリング・プラットフォームの複数のレンダリングのリソースの最大能力についてのリソース情報を保存するためのメモリと、
生成されている前記タイトルによるレンダリングのリソースについての要求／解放を前記タイトル生成手段から受け取り、前記レンダリングのリソース毎に前記タイトルにより行われた前記要求を監視し、前記レンダリングのリソースの少なくとも１つの要求が対応するリソースの最大能力を超える場合に、前記ユーザに指示を提供するためのリソース・モニタと
を有するリソース・チェッカーと
を有するマルチメディア・オーサリング・システム。
【請求項２】
請求項１に記載のマルチメディア・オーサリング・システムであって、
前記リソース・モニタが、前記リソースの前記要求／解放を監視し、前記ユーザへの前記指示を提供するために、前記タイトル生成手段と共同したエージェントを有するマルチメディア・オーサリング・システム。
【請求項３】
請求項１に記載のマルチメディア・オーサリング・システムであって、
前記メモリが、所定の複数の形式のレンダリング・プラットフォームについて、それぞれのレンダリングのリソース情報を保存するように動作可能であり、
前記リソース・モニタが、前記レンダリング・プラットフォームの形式毎に監視を実行し、少なくとも１つの前記レンダリング・プラットフォームの形式について、少なくとも１つの前記リソースの要求が前記最大能力を超える場合に、前記ユーザへの前記指示を提供するように動作可能であるマルチメディア・オーサリング・システム。
【請求項４】
請求項２又は３に記載のマルチメディア・オーサリング・システムであって、
前記リソース・モニタが、前記複数のレンダリング・プラットフォームの形式毎に、前記それぞれのレンダリング・プラットフォームの形式の前記レンダリングのリソースの前記要求／解放を監視し、前記ユーザに前記指示を提供するために、前記タイトル生成手段と共同したそれぞれのエージェントを有するマルチメディア・オーサリング・システム。
【請求項５】
請求項１に記載のマルチメディア・オーサリング・システムであって、
前記レンダリングのリソースの少なくとも１つの要求が前記対応するリソースの前記最大能力の所定の部分を超える場合に、前記リソース・モニタが前記ユーザへの指示を提供するように動作可能であるマルチメディア・オーサリング・システム。
【請求項６】
請求項１に記載のマルチメディア・オーサリング・システムであって、
時間に依存しないリソースの能力が所定の数のトークンで表され、
時間に依存するリソースの能力が時間単位毎の所定の数のトークンで表され、
時間に依存しないリソース毎に、前記タイトル生成手段によるリソースの前記要求が、要求されたトークンの数で表され、前記リソース・モニタが、トークンの要求の総数が前記それぞれのリソースについてトークンの所定の最大数を超えているかどうかを監視するように動作可能であり、
時間に依存するリソース毎に、前記タイトル生成手段によるリソースの前記要求が、時間単位毎の要求されたトークンの数で表され、前記リソース・モニタが、連続した時間単位毎に要求の総数が前記それぞれのリソースについてトークンの所定の最大数を超えているかどうかを監視するように動作可能であるマルチメディア・オーサリング・システム。
【請求項７】
ユーザから入力を受け取り、
前記ユーザの入力の制御のもとでマルチメディア・タイトルを生成し、
前記生成中に所定のレンダリング・プラットフォームの複数のレンダリングのリソースで生成されている前記タイトルにより行われる要求／解放を監視し、
前記レンダリング・プラットフォームの前記それぞれのレンダリングのリソースの最大能力に対して前記要求／解放を比較し、
前記レンダリングのリソースの少なくとも１つの要求が、対応するリソースの最大能力を越える場合に、前記ユーザに指示を提供する
ことを有するマルチメディア・タイトルを生成する方法。
【請求項８】
プロセッサに請求項７に記載の方法を実行させるように動作可能なコンピュータプログラム。
【請求項９】
請求項８に記載のコンピュータプログラムを有するストレージ媒体。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
テクスチャ化されるべきオブジェクトのための画素データを供給し、
前記オブジェクトの画素に適用するためのテクスチャ・データを供給し、
オブジェクトおよびテクスチャ・データを、ブレンド・バッファに供給し、
ブレンディング・プロセッサ内で、前記テクスチャ及びオブジェクト・データをブレンディング（blending）することによって、前記テクスチャ・データを、当該テクスチャ・データへのアクセスを持つ各オブジェクトの各画素に適用し、そして、
結果としての画素データを、フレーム・バッファに書き込む、
ステップを含み、
前記画素データを供給するステップが、
前記ブレンド・バッファの容量に比してより大きな容量（capacity）を要求するであろう画像内のオブジェクトを表す多角形を副分割（sub-dividing）し、そして、
前記ブレンド・バッファより小さいオブジェクトのために、１つより多いオブジェクトのためのデータを、前記ブレンド・バッファに同時に供給する、
ステップを含む、
３次元コンピュータ・グラフィックス・システム内のオブジェクト(objects)についてテクスチャリング・オペレーションを実行するための方法。
【請求項２】
複数の異なったテクスチャのためのテクスチャ・データが、前記ブレンド・バッファに提供され、引き続き、当該テクスチャ・データにアクセスを持つ各オブジェクトの各画素に適用される、請求項１に記載の方法。
【請求項３】
テクスチャ化されるべきオブジェクトのための前記画素データが、多角形データから得られた(derived)データを含む、請求項１または２に記載の方法。
【請求項４】
前記テクスチャ・データが、多角形ウォーキング(polygon walking)によって各オブジェクトの各画素に適用される、請求項３に記載の方法。
【請求項５】
前記フレーム・バッファに書き込むステップが、各画素のために一回だけ書き込むステップ、を含む、以上のいずれかの請求項に記載の方法。
【請求項６】
オブジェクト・データを、前記ブレンド・バッファに提供するステップが、
前記ブレンド・バッファ内の各画素の位置、および、同時に処理されるべき画素の数、を規定するデータを提供するステップを含む、
以上のいずれかの請求項に記載の方法。
【請求項７】
オブジェクト・データおよびテクスチャ・データを、前記ブレンド・バッファに提供するステップが、
各画素がテクスチャにアクセスを持つ、当該テクスチャの数を規定するデータを提供するステップ、
を含む、以上のいずれかの請求項に記載の方法。
【請求項８】
テクスチャが前記ブレンド・バッファに提供されたことを表す(denote)ためのフラグを設定するステップを含む、以上のいずれかの請求項に記載の方法。
【請求項９】
テクスチャ化されるべきオブジェクトを規定する画像データのための供給源(supply)（２）、
前記オブジェクトに適用されるべきテクスチャ・データのための供給源（６）、
前記供給された画素およびテクスチャ・データを記憶するためのブレンド・バッファ（３２）、
前記テクスチャ・データを、前記テクスチャ・データにアクセスを有する各オブジェクトの各画素に適用するためのブレンディング・プロセッサ（８）、および、
結果としての画素データを、フレーム・バッファに書き込むための手段、
を備え、
テクスチャ化されるべきオブジェクトを導き出している（deriving）画素データのための前記供給源（２）が、
前記ブレンド・バッファの容量に比してより大きな容量（capacity）を要求するであろうオブジェクトを表す多角形を副分割（sub-dividing）するための手段、及び、
前記ブレンド・バッファより小さいオブジェクトのために、１つより多いオブジェクトのためのデータを、前記ブレンド・バッファに供給するための手段、
を含む、
３次元コンピュータ・グラフィックス・システム内のオブジェクトに対してテクスチャリング・オペレーションを実行するための装置。
【請求項１０】
前記ブレンド・バッファ（３２）およびブレンディング・ユニット（８）が、前記フレーム・バッファを含むＩＣから分離された集積回路上で提供される、請求項９に記載の装置。
【請求項１１】
テクスチャ・データ（６）を提供するための手段が、複数の異なったテクスチャのためのデータを、前記ブレンド・バッファ（３２）に、一回だけの書き込みで提供する、請求項９または１０に記載の装置。
【請求項１２】
テクスチャ化されるべきオブジェクトのための前記画素データが、多角形データから得られた(derived)データを含む、請求項９、１０、または１１に記載の装置。
【請求項１３】
前記ブレンディング・プロセッサ（８）が、前記テクスチャ・データを、多角形ウォーキング(polygon walking)によって、各オブジェクトの各画素に適用する、請求項１２に記載の装置。
【請求項１４】
前記結果としての画素データを、前記フレーム・バッファに書き込むための前記手段が、各画素に対して、一回だけの書き込みを実行する、請求項９ないし１３のいずれかに記載の装置。
【請求項１５】
オブジェクト・データを、前記ブレンド・バッファ（３２）に提供するための前記手段（２）が、前記ブレンド・バッファ内の各画素の位置を規定するデータ、および、同時に処理されるべき画素の数、を提供する、請求項９ないし１４のいずれかに記載の装置。
【請求項１６】
オブジェクト・データおよびテクスチャ・データを、前記ブレンド・バッファに提供するための手段が、各画素がアクセスを有するテクスチャの数を規定するデータを提供する、請求項９ないし１５のいずれかに記載の装置。
【請求項１７】
テクスチャが前記ブレンド・バッファに提供されたことを表示するためのフラグを設定するための手段を含む請求項９ないし１６のいずれかに記載の装置。
【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
ファイル・リクエスト装置から、第１のアクセス・ネットワークを介して、ホスト（サーバ）によってファイルのリクエストを受信するステップと、
第１のスケジュールされた時間に、前記ホスト・サーバからキャッシュ・サーバに前記ファイルを転送するステップと、
第２のスケジュールされた時間に、前記キャッシュ・サーバから、第２のアクセス・ネットワークを介してファイル受信装置に前記ファイルを転送するステップと、から成る、情報を転送する方法。
【請求項２】
前記第１のアクセス・ネットワークと前記第２のアクセス・ネットワークが同じアクセス・ネットワークである、請求項１記載の情報を転送する方法。
【請求項３】
前記ファイル・リクエスト装置と前記ファイル受信装置が同じ装置である、請求項１記載の情報を転送する方法。
【請求項４】
前記第１のアクセス・ネットワークがワイヤレス・アクセス・ネットワークである、請求項１記載の情報を転送する方法。
【請求項５】
前記第２のアクセス・ネットワークが高帯域のネットワークである、請求項１記載の情報を転送する方法。
【請求項６】
前記第２のアクセス・ネットワークが高容量のホットスポット・ネットワークである、請求項５記載の情報を転送する方法。
【請求項７】
前記ファイル・リクエスト装置が、ＰＤＡ（パーソナル・ディジタル・アシスタント：携帯情報端末）、セル電話（携帯電話）、ノート型コンピュータおよびパーソナル・コンピュータから成るグループから選択される、請求項１記載の情報を転送する方法。
【請求項８】
前記ファイル受信装置が、ＰＤＡ、セル電話、ノート型コンピュータおよびパーソナル・コンピュータから成るグループから選択される、請求項１記載の情報を転送する方法。
【請求項９】
第１のスケジュールされた時間に前記ホスト・サーバからキャッシュ・サーバに前記ファイルを転送するステップが更に、第１のスケジュールされた時間に前記ホスト・サーバから第３のネットワークを介して前記ファイルをキャッシュ・サーバに転送するステップを含む、請求項１記載の情報を転送する方法。
【請求項１０】
ファイル・リクエスト装置と、
ホスト・サーバと、
キャシュ・サーバと、
ファイル受信装置と、から成る情報を転送するシステムにおいて、
第１のアクセス・ネットワークを介して前記ファイル・リクエスト装置によってファイルが前記ホスト・サーバにリクエストされると、前記ホスト・サーバは、第１のスケジュールされた時間に接続（コネクション）を介して前記ファイルを前記キャッシュ・サーバに転送し、前記キャッシュ・サーバは、第２のスケジュールされた時間に第２のアクセス・ネットワークを介して前記ファイルを前記ファイル受信装置に転送する、情報を転送するシステム。
【請求項１１】
前記第１のアクセス・ネットワークと前記第２のアクセス・ネットワークが同じネットワークである、請求項１０記載の情報を転送するシステム。
【請求項１２】
前記ファイル・リクエスト装置と前記ファイル受信装置が同じ装置である、請求項１０記載の情報を転送するシステム。
【請求項１３】
前記第１のアクセス・ネットワークがワイヤレス・ネットワークである、請求項１０記載の情報を転送するシステム。
【請求項１４】
前記第２のアクセス・ネットワークが高帯域のネットワークである、請求項１０記載の情報を転送するシステム。
【請求項１５】
前記第２のアクセス・ネットワークが高容量のホットスポット・ネットワークである、請求項１０記載の情報を転送するシステム。
【請求項１６】
前記ファイル・リクエスト装置が、ＰＤＡ、セル電話、ノート型コンピュータおよびパーソナル・コンピュータから成るグループから選択される、請求項１０記載の情報を転送するシステム。
【請求項１７】
前記ファイル受信装置が、ＰＤＡ、セル電話、ノート型コンピュータ、パーソナル・コンピュータから成るグループから選択される、請求項１０記載の情報を転送するシステム。
【請求項１８】
前記接続（コネクション）が第３のネットワークを構成する、請求項１０記載の情報を転送するシステム。
【手続補正２】
【補正対象書類名】明細書
【補正対象項目名】発明の名称
【補正方法】変更
【補正の内容】
【発明の名称】情報を転送する方法およびシステム
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
ファイル・リクエスト装置から、第１のネットワークを介してサーバによりファイルのリクエストを受信するステップと、
前記ファイルの予期される配信時間を、前記ファイル・リクエスト装置から前記サーバにより受信するステップと、
前記ファイルの転送時間を含み且つ前記予期される配信時間を少なくとも一部使用するスケジュールを、前記サーバにより発生するステップと、
スケジュールされた時間に、前記サーバから第２のネットワークを介して前記ファイルをファイル受信装置に送信するステップと、からなる、情報を転送する方法。
【請求項２】
前記第１のネットワークと前記第２のネットワークが同じネットワークである、請求項１記載の情報を転送する方法。
【請求項３】
前記ファイル・リクエスト装置と前記ファイル受信装置が同じ装置である、請求項１記載の情報を転送する方法。
【請求項４】
前記第１のネットワークがワイヤレス・ネットワークである、請求項１記載の情報を転送する方法。
【請求項５】
前記ファイル・リクエスト装置が、携帯情報端末、携帯電話、ノート型コンピュータおよびパーソナル・コンピュータからなるグループから選択される、請求項１記載の情報を転送する方法。
【請求項６】
前記ファイル受信装置が携帯情報端末、携帯電話、ノート型コンピュータおよびパーソナル・コンピュータからなるグループから選択される、請求項１記載の情報を転送する方法。
【請求項７】
ファイル・リクエスト装置と、
サーバと、
ファイル受信装置と、からなる、情報を転送する装置であって、
前記ファイル・リクエスト装置により第１のネットワークを介して前記サーバにファイルがリクエストされるとき、予期される配信時間がリクエストに添えられ、前記サーバは、前記予期される配信時間により少なくとも一部定められるスケジュールされた時間に第２のネットワークを介して前記ファイルを前記ファイル受信装置に転送する、情報を転送する装置。
【請求項８】
前記第１のネットワークと前記第２のネットワークが同じネットワークである、請求項７記載の情報を転送する装置。
【請求項９】
前記ファイル・リクエスト装置と前記ファイル受信装置が同じ装置である、請求項７記載の情報を転送する装置。
【請求項１０】
前記第１のネットワークがワイヤレス・ネットワークである、請求項７記載の情報を転送する装置。
【請求項１１】
前記ファイル・リクエスト装置が、携帯情報端末、携帯電話、ノート型コンピュータ、パーソナル・コンピュータからなるグループから選択される、請求項７記載の情報を転送する装置。
【請求項１２】
前記ファイル受信装置が、携帯情報端末、携帯電話、ノート型コンピュータ、パーソナル・コンピュータからなるグループから選択される、請求項７記載の情報を転送する装置。
【請求項１３】
第１のクライアントの状態と、
第１のネットワークの状態と、
第１のサーバの状態と、
第２のクライアントの状態と、
第２のネットワークの状態と、
第２のサーバの状態と、からなる、情報を転送する装置であって、
第１のクライアントの状態にあるファイル受信装置が、第１のネットワークの状態にある第１のネットワークを介して、第１の状態にあるサーバにファイルのリクエストを送信し、前記ファイルのリクエストは予期される配信時間を含み、ファイルのリクエストを受信すると、サーバは、ファイルを送信するためのスケジュールを発生して、前記ファイルを前記スケジュールに従って送信し、前記サーバは、前記第２のサーバの状態に置かれ、送信は前記第２のネットワークの状態にある第２のネットワークを介して行われ、前記ファイルは前記第２のクライアントの状態にあるファイル受信装置で受信される、情報を転送する装置。
【請求項１４】
前記第１のネットワークと前記第２のネットワークが同じネットワークである、請求項１３記載の情報を転送する装置。
【請求項１５】
前記ファイル・リクエスト装置と前記ファイル受信装置が同じ装置である、請求項１３記載の情報を転送する装置。
【請求項１６】
前記第１のネットワークがワイヤレス・ネットワークである、請求項１３記載の情報を転送する装置。
【請求項１７】
前記ファイル・リクエスト装置が、携帯情報端末、携帯電話、ノート型コンピュータ、パーソナル・コンピュータからなるグループから選択される、請求項１記載の情報を転送する装置。
【請求項１８】
前記ファイル受信装置が、携帯情報端末、携帯電話、ノート型コンピュータ、およびパーソナル・コンピュータからなるグループから選択される、請求項１記載の情報を転送する装置。
【手続補正２】
【補正対象書類名】明細書
【補正対象項目名】発明の名称
【補正方法】変更
【補正の内容】
【発明の名称】情報を転送する方法および装置
【手続補正３】
【補正対象書類名】明細書
【補正対象項目名】０００８
【補正方法】変更
【補正の内容】
【０００８】
図１は、本発明の好ましい実施例を示す。ファイル・リクエスト装置１０は、サーバ２０へのネットワーク接続ａを有する。この実施例で、ファイル・リクエスト装置は、パーソナル・ディジタル・アシスタント（ＰＤＡ：携帯情報端末）であり、ワイヤレス・ネットワークの性能およびオペレーティング・システム（当技術分野で知られているＯＳ：Ｐａｌｍ  ＯＳ、Ｗｉｎｄｏｗｓ（登録商標）ＣＥ、Ｐｏｃｋｅｔ  ＰＣ、Ｌｉｎｕｘ（登録商標）、など）を具える。
【手続補正書】
【提出日】平成17年10月17日(2005.10.17)
【手続補正１】
【補正対象書類名】特許請求の範囲
【補正対象項目名】全文
【補正方法】変更
【補正の内容】
【特許請求の範囲】
【請求項１】
光ディスクの製造方法であって、
着色剤を第一プラスチック基板の全重量に基づいて０．０１重量％以上含有し、第一プラスチック基板のＵＶ接着インデックスを０．５以上に制御した、第一プラスチック基板を形成する段階、
第一プラスチック基板と第二基板の間にデータ層を配置する段階、
接着層を用いて第一プラスチック基板を第二プラスチック基板に接着する段階、及び
接着層を硬化する段階
を含んでなる光ディスクの製造方法。
【請求項２】
第一プラスチック基板を透過するレーザ読み出し波長での光透過率が６０％〜９４％未満である、請求項１記載の光ディスクの製造方法。
【請求項３】
ＵＶ接着インデックスが７０以下である、請求項１記載の光ディスクの製造方法。
【請求項４】
さらに、着色剤をプラスチック材料の全重量に基づいて０．０１重量％以上含有し、かつ第一プラスチック基板と同じ着色剤濃度を有するプラスチック材料をプラスチック樹脂と着色剤から形成し、該プラスチック材料から第一プラスチック基板を形成する段階を含む、請求項１記載の光ディスクの製造方法。
【請求項５】
さらに、第一プラスチック基板とは着色剤濃度の異なるプラスチック樹脂から第一プラスチック基板を形成する段階を含む、請求項１記載の光ディスクの製造方法。
【請求項６】
さらに、接着層中の光開始剤の吸光度を測定する段階、並びに着色剤濃度、着色剤種類及びこれらのパラメータを１以上含む組合せからなる群から選択される着色剤のパラメータをＵＶ接着インデックスが０．０５以上になるように調節する段階を含む、請求項１記載の光ディスクの製造方法。
【請求項７】
光ディスクの製造方法であって、
プラスチック樹脂と着色剤から、着色剤をプラスチック材料の全重量に基づいて０．０１重量％以上含有するプラスチック材料を形成する段階、
前記プラスチック材料から第一プラスチック基板を形成する段階であって、第一プラスチック基板のＵＶ接着インデックスが０．５以上であり、プラスチック材料の着色剤濃度が第一プラスチック基板と同じである段階、
第一プラスチック基板と第二基板の間にデータ層を配置する段階、
接着層を用いて第一プラスチック基板を第二プラスチック基板に接着する段階、及び
接着層を硬化する段階
を含んでなる光ディスクの製造方法。
【請求項８】
２枚以上のプラスチック基板（１）を備える光ディスクであって、プラスチック基板の間に接着層とデータ層が配置され、１枚以上の基板（１）が着色剤を読み出し面基板の全重量に基づいて０．０１重量％以上含む読み出し面基板であり、読み出し面基板のＵＶ接着インデックスが０．５以上である、光ディスク。
【請求項９】
前記プラスチックが非晶質熱可塑性樹脂、結晶質熱可塑性樹脂、半結晶質熱可塑性樹脂、熱硬化性樹脂、並びにこれらのプラスチックを１種以上含むブレンド、コポリマー、反応生成物及び複合材料からなる群から選択される、請求項８記載の光ディスク。
【請求項１０】
前記着色剤がアントラキノン、ペリレン、ペリノン、インダントロン、キナクリドン、キサンテン、オキサジン、チオキサンテン、インジゴイド、チオインジゴイド、ナフタルイミド、シアニン、キサンテン、メチン、ラクトン、クマリン、ビスベンゾキサゾリルチオフェン（ＢＢＯＴ）、ナフタレンテトラカルボン酸誘導体、モノアゾ顔料、ジスアゾ顔料、トリアリールメタン、アミノケトン、ビス（スチリル）ビフェニル誘導体、並びにこれらの着色剤を１種以上含む反応生成物及びブレンドからなる群から選択される、請求項８記載の光ディスク。
【手続補正書】
【提出日】平成17年10月4日(2005.10.4)
【手続補正１】
【補正対象書類名】特許請求の範囲
【補正対象項目名】全文
【補正方法】変更
【補正の内容】
【特許請求の範囲】
【請求項１】
ある基板組成及びある基板厚さを有するプラスチック基板（１０８）、
基板組成とは異なる層組成を有する光学層（１１４）、
それらの間に配置されたデータ記憶層（１０２）、並びに
データ記憶層（１０２）と基板（１０８）の間に配置された反射層（１１）
を含んでなり、ラジアル偏差が半径５５ｍｍで１．１５度以下である、記憶媒体（５）。
【請求項２】
光学層（１１４）対基板（１０８）の剛性比が室温における引張変形で測定して０．５〜５である、請求項１記載の記憶媒体（５）。
【請求項３】
光学層（１１４）対基板（１０８）の膨潤比が０．５〜５．０である、請求項１記載の記憶媒体（５）。
【請求項４】
光学層（１１４）の層厚が基板（１０８）の厚さの２０％以上である、請求項１記載の記憶媒体（５）。
【請求項５】
光学層（１１４）の層厚が０．２μｍ〜０．６ｍｍである、請求項１記載の記憶媒体（５）。
【請求項６】
基板（１０８）の厚さが０．３〜２．５ｍｍである、請求項１記載の記憶媒体（５）。
【請求項７】
光学層（１１４）がある層厚を有していて、その層厚と基板厚さとの厚さ比が０．００１以上１未満である、請求項１記載の記憶媒体（５）。
【請求項８】
前記層組成及び基板組成が、熱可塑性樹脂、熱硬化性樹脂、並びにこれらのプラスチックを１種以上含むホモポリマー、コポリマー、反応生成物及び組合せからなる群から個別に選択されるプラスチックである、請求項１記載の記憶媒体（５）。
【請求項９】
前記熱可塑性樹脂が、ポリエチレン、ポリプロピレン、ポリエチレンとポリプロピレンのコポリマー、塩素化ポリエチレン、ポリ塩化ビニル、ポリメチルペンタン、エチレン−テトラフルオロエチレンコポリマー、ポリフッ化ビニル、ポリフッ化ビニリデン、ポリ塩化ビニリデン、ポリテトラフルオロエチレン、エチレン−酢酸ビニルコポリマー、ポリ酢酸ビニル、ジエン系ポリマー及びコポリマー、ポリブタジエン、ポリイソプレン、エチレン性不飽和カルボン酸のポリマー、エチレン性不飽和カルボン酸を含有するポリマーの官能性誘導体、アクリルポリマー、ポリ（アクリル酸アルキル）、ポリ（メタクリル酸アルキル）、ポリアクリルアミド、ポリアクリロニトリル、ポリアクリル酸、アルケニル芳香族ポリマー、ポリスチレン、ポリ−α−メチルスチレン、水素化ポリスチレン、シンジオタクチック及びアタクチックポリスチレン、ポリシクロヘキシルエチレン、スチレン−コ−アクリロニトリル、スチレン−コ−無水マレイン酸、ポリビニルトルエン、ゴム変性ポリスチレン、ポリアミド、ナイロン−６、ナイロン−６６、ナイロン−１１、及びナイロン−１２、ポリアセタール、ポリエステル、ポリエチレンテレフタレート、ポリブチレンテレフタレート、ポリシクロヘキシルメチレンテレフタレート、ポリカーボネート、ポリエステルカーボネート、高耐熱性ポリカーボネート、ポリエーテル、ポリアリーレンエーテル、２，６−ジメチルフェノールから誘導されたポリフェニレンエーテル及び２，３，６−トリメチルフェノールとのコポリマー、ポリエーテルスルホン、ポリエーテルエーテルスルホン、ポリエーテルケトン、ポリエーテルエーテルケトン、及びポリエーテルイミド、ポリアリーレンスルフィド、ポリスルホン、及びポリスルフィドスルホン、液晶ポリマー、並びにこれらの熱可塑性樹脂を１種以上含むホモポリマー、コポリマー、反応生成物、組合せ及び複合材からなる群から選択され、前記熱硬化性樹脂が、エポキシ樹脂、フェノール樹脂、アルキド樹脂、ポリエステル、ポリイミド、ポリウレタン、鉱物充填シリコーン、ビス−マレイミド、シアネートエステル、多官能性アリル化合物、アクリル、アルキド、フェノール−ホルムアルデヒド、ノボラック、レゾール、ビスマレイミド、メラミン−ホルムアルデヒド、尿素−ホルムアルデヒド、ベンゾシクロブタン、ヒドロキシメチルフラン、イソシアネート、ベンゾシクロブテン樹脂、並びにこれらの熱硬化性樹脂を１種以上含むホモポリマー、コポリマー、反応生成物及び組合せからなる群から選択される、請求項８記載の記憶媒体（５）。
【請求項１０】
ある基板組成及びある基板厚さを有するプラスチック基板（１０８）、
前記基板組成とは異なる層組成及び前記基板厚さとは異なる層厚を有する光学層（１１４）、
それらの間に配置されたデータ記憶層（１０２）、並びに
データ記憶層（１０２）と基板（１０８）の間に配置された反射層（１１）
を含んでなり、ラジアル偏差が半径５５ｍｍで１．１５度以下である、記憶媒体（５）。